(57)【特許請求の範囲】
【請求項１】
物体側から順に、負の屈折力の第１レンズ群と正の屈折力の第２レンズ群からなり、第１レンズ群と第２レンズ群との間に中間結像面が形成されるレンズ系で、前記第２レンズ群が物体側に凹面を向けた正のメニスカス単レンズと１枚の正の単レンズからなり全体として正の屈折力を持つ第１レンズ成分と、負レンズと正レンズの接合レンズからなり正の屈折力の第２レンズ成分と、物体側に強い屈折力を有する面を向けた正レンズからなり正の屈折力を持つ第３レンズ成分とよりなり、下記条件（１）、（２）、（３−１）、（４）、（５）を満足することを特徴とする接眼レンズ。
（１）    ０．２＜ｆ2 ／ｆ21＜０．６
（２）    ０．３５＜ｆ2 ／ｆ23＜０．５５
（３−１）  −２．０＜ｆ・φ＜−０．５
（４）    ν22a −ν22b ＜−２５．０
（５）    ｎ23＞１．６５
ただし、ｆ2 は第２レンズ群の焦点距離、ｆ21は第２レンズ群中の第１レンズ成分の焦点距離、ｆ23は第２レンズ群の第３レンズ成分の焦点距離、ｆは接眼レンズ全系の焦点距離、φは第１レンズ群と第２レンズ群の間の空気レンズの屈折力、ν22a は第２レンズ群中の第２レンズ成分の接合レンズの負レンズのアッベ数、ν22b は第２レンズ群中の第２レンズ成分の接合レンズの正レンズのアッベ数、ｎ23は第２レンズ群中の第３レンズ成分の物体側に強い屈折力を有する面を向けた正レンズの屈折率である。
【請求項２】
物体側から順に、負の屈折力の第１レンズ群と正の屈折力の第２レンズ群からなり、第１レンズ群と第２レンズ群との間に中間結像面が形成されるレンズ系で、前記第２レンズ群が物体側に凹面を向けた正のメニスカス単レンズと１枚の正の単レンズからなり全体として正の屈折力を持つ第１レンズ成分と、負レンズと正レンズの接合レンズからなり正の屈折力の第２レンズ成分と、物体側に強い屈折力を有する面を向けた正レンズからなり正の屈折力を持つ第３レンズ成分とよりなり、下記条件（１）、（２）、（３−２）、（４）、（５）を満足する請求項１の接眼レンズ。
（１）    ０．２＜ｆ2 ／ｆ21＜０．６
（２）    ０．３５＜ｆ2 ／ｆ23＜０．５５
（３−２）  −３．０＜ｆ・φ≦−０．７１７
（４）    ν22a −ν22b ＜−２５．０
（５）    ｎ23＞１．６５
ただし、ｆ2 は第２レンズ群の焦点距離、ｆ21は第２レンズ群中の第１レンズ成分の焦点距離、ｆ23は第２レンズ群の第３レンズ成分の焦点距離、ｆは接眼レンズ全系の焦点距離、φは第１レンズ群と第２レンズ群の間の空気レンズの屈折力、ν22a は第２レンズ群中の第２レンズ成分の接合レンズの負レンズのアッベ数、ν22b は第２レンズ群中の第２レンズ成分の接合レンズの正レンズのアッベ数、ｎ23は第２レンズ群中の第３レンズ成分の物体側に強い屈折力を有する面を向けた正レンズの屈折率である。
【請求項３】
レンズ系中の少なくとも一つのレンズ面が非球面であることを特徴とする請求項１又は２の接眼レンズ。
【請求項４】
条件（１）の代りに下記条件（１−１）を満足することを特徴とする請求項１または２の何れか１項に記載の接眼レンズ。
（１−１）    ０．２５＜ｆ2 ／ｆ21＜０．５
【請求項５】
条件（２）の代りに下記条件（２−１）を満足する請求項１、２または４の接眼レンズ。
（２−１）    ０．４＜ｆ2 ／ｆ23＜０．５
【請求項６】
条件（４）の代りに下記条件（４−１）を満足することを特徴とする請求項１、２、４または５の接眼レンズ。
（４−１）    ν22a −ν22b ＜−３０．０
【請求項７】
条件（５）の代りに下記条件（５−１）を満足することを特徴とする請求項１、２、４、５または６の接眼レンズ。
（５−１）    ｎ23＞１．７０
【請求項８】
条件（５）の代りに下記条件（５−２）を満足することを特徴とする請求項１、２、４、５または６の接眼レンズ。
（５−２）    ｎ23＞１．７５
【請求項９】
レンズ系中に少なくとも１面非球面を設けたことを特徴とする請求項４乃至８のいずれか１項に記載の接眼レンズ。
【請求項１０】
下記条件（６）、（７）を満足することを特徴とする請求項１乃至９のいずれか１項に記載の接眼レンズ。
（６）  −３．０＜｛（φ22a／ν22a）／（φ22b／ν22b）｝＜−１．０１
（７）  ０．１０＜φ22・ｆ＜０．４０
ただしφ22は第２レンズ群中の第２レンズ成分の屈折力、φ22aは第２レンズ群中の第２レンズ成分の接合レンズの負レンズの屈折力、φ22bは第２レンズ群中の第２レンズ成分の接合レンズの正レンズの屈折力、ｆは接眼レンズ全系の焦点距離である。
【請求項１１】
下記条件（８）、（９）を満足することを特徴とする請求項１乃至１０のいずれか１項に記載の接眼レンズ。
（８）    α22a−α22b＜３０
（９）    １．６５＜ＡＶＥ（ｎ22a，ｎ22b）＜１．９３
ただしα22aは第２レンズ群の第２レンズ成分の接合レンズの負レンズの硝材の平均線膨張係数、α22bは第２レンズ群の第２レンズ成分の接合レンズの正レンズの硝材の平均線膨張係数、ｎ22aは第２レンズ群の第２レンズ成分の接合レンズの負レンズの屈折率、ｎ22bは第２レンズ群の第２レンズ成分の接合レンズの正レンズの屈折率、ＡＶＥ（ｎ22a，ｎ22b）は第２レンズ群の第２レンズ成分の接合レンズの負レンズの屈折率ｎ22aと正レンズの屈折率ｎ22bの平均値である。
【請求項１２】
条件（８）の代りに下記条件（８−１）を満足することを特徴とする請求項１１の接眼レンズ。
（８−１）    α22a−α22b＜２３
【請求項１３】
下記条件（１０）を満足することを特徴とする請求項１、２または３の接眼レンズ。
（１０）    −０．２５＜ｆ／ｆ1＜−０．０５
ただし、ｆ1は第１レンズ群の焦点距離、ｆは接眼レンズ全系の焦点距離である。
【発明の詳細な説明】
【０００１】
【発明の属する技術分野】
本発明は、望遠鏡や双眼鏡等に用いられる極めて広い視野を有する接眼レンズに関するものである。
【０００２】
【従来の技術】
近年、望遠鏡や双眼鏡等に用いられる接眼レンズは広い視野を有するものが多い。また、観察がしやすくするために十分なアイレリーフの確保が重要である。
【０００３】
しかし、見掛けの視界が広くなりアイレリーフが大になる程、レンズの外径が大になる。そのため極めて広い見掛け視界と十分なアイレリーフとを同時に確保しようとすると、接眼レンズは大型になり重量が大になる。特に左右両眼で観察する双眼鏡等の接眼レンズとして用いる場合、レンズの外径が大になると最小眼幅を確保することが困難になり、又使用する際にレンズ枠が鼻にあたり快適な観察ができなくなる等の不具合が発生する。
【０００４】
又、見掛け視界が８０°程度の極めて広い視野をもつ接眼レンズにおいては、接眼レンズの最大径が重要な要素になる。
【０００５】
図９は、アイレリーフと接眼レンズの径との関係を示す概略図である。この図よりわかるように、同じ見掛け視界αを有する接眼レンズ同士で比較した場合、アイレリーフＥＲと接眼レンズ最大径ＤＭとの比（アイレリーフに接眼レンズ最大径の逆数を乗じた値）が大きいほど小型な接眼レンズであるといえる。尚図においてＥは接眼レンズである。
【０００６】
見掛けの視界が８０°程度の極めて広い視野の接眼レンズの従来例として、特開平７−８４１９５号、特開平８−３６１４０号、特開平８−７６０３２号等の各公報に記載されたものが知られている。これら従来例のうち、特開平７−８４１９５号公報の接眼レンズは、８０°の見掛け視界を確保しているが、アイレリーフと接眼レンズ最大径の比は、０．３７程度で、十分に小型な接眼レンズとはいえない。
【０００７】
又特開平８−３６１４０号公報の接眼レンズは、アイレリーフと接眼レンズ最大径の比が０．３程度と小さく、この公報に記載された実施例のようにアイレリーフが１１mm程度の接眼レンズの場合は、レンズ外径が小さい。しかし、アイレリーフが１１mmでは、快適な観察を行なうためには不十分である。アイレリーフをより大きくしようとすると接眼レンズ外径がかなり大になる。また、この接眼レンズは、非点隔差、歪曲収差が十分補正されているとはいえない。
【０００８】
又特開昭８−７６０３２号公報に記載されている接眼レンズは、アイレリーフと接眼レンズ最大径の比は０．５程度と大きいが、縁肉（レンズ周辺部での厚み）が不足してしまうため、見掛け視界８０°では十分な周辺光量を確保することはできない。又この従来例は、アイレリーフも光軸上１５mm程度あるが、最も眼側のレンズ面がきつい凹面であるため実質上のアイレリーフは、１３mmに及ばない程度であり十分ではない。
【０００９】
以上のように、従来の超広視野接眼レンズは、見掛け視界が８０°程度であり、実質上１５mm以上の大きなアイレリーフを確保しながら視野周辺まで諸収差特に像面湾曲、非点収差、歪曲収差を良好に補正することは困難である。
【００１０】
【発明が解決しようとする課題】
本発明は、見掛け視界８０°という広い視野全域にわたり諸収差が良好に補正され、かつ十分なアイレリーフと周辺光量を確保しながらアイレリーフと接眼レンズ最大径の比が０．４程度のレンズ外径の小さい接眼レンズを提供するものである。
【００１１】
【課題を解決するための手段】
本発明の接眼レンズは、物体側から順に、負の屈折力の第１レンズ群と、正の屈折力の第２レンズ群を有し、第１レンズ群と第２レンズ群との間に中間結像面が形成されるレンズ系で、第２レンズ群が物体側に凹面を向けた正のメニスカス単レンズと少なくとも１枚の正の単レンズとを含んでいて全体として正の屈折力を持つ第１レンズ成分と、負レンズと正レンズとの接合レンズを含んでいて全体として正の屈折力を持つ第２レンズ成分と、物体側に強い屈折力の面を向けた正レンズを含んでいて全体として正の屈折力を持つ第３レンズ成分とよりなることを特徴としている。
【００１２】
本発明の接眼レンズは、前記のように第１レンズ群を負の屈折力のレンズ群とすることによりペッツバール和を小さくして像面湾曲を補正するようにすると同時に対物レンズと中間結像面との間の光束を小さくする（光線高を低くする）作用をこの第１レンズ群に持たせるようにしている。このように対物レンズと中間結像面との間の光束を小さくすることにより、対物レンズと接眼レンズとの間に配置される像正立プリズムの体積を小さくすることが可能になり、小型化や軽量化に貢献する。
【００１３】
又、第２レンズ群の第１レンズ成分中の物体側に凹面を向けた正のメニスカス単レンズにより像面湾曲を補正し、このレンズの眼側に配置されている正の単レンズと合わせて周辺光束が光軸から遠ざからないように作用させてレンズの外径が小さくなるようにしている。
【００１４】
又、第２レンズ群の第２レンズ成分を負レンズと正レンズの接合レンズを含み全体として正の屈折力を持つようにして倍率の色収差を効果的に補正しながら周辺光束が光軸から遠ざからないように作用させることによりレンズの外径を小さく抑えるようにしている。
【００１５】
第２レンズ群の第３レンズ成分を物体側に強い屈折力を持つ面を向けた正レンズを有していて全体として正の屈折力を持つようにし構成することにより周辺光束を大きく屈折させて広い見掛け視界を実現するようにしている。
【００１６】
以上述べた本発明の接眼レンズにおいて、レンズ系を構成するレンズの面のうち少なくとも１面を非球面にすれば、光学性能を一層向上させる点で望ましい。
本発明のような見掛け視界が極めて広い接眼レンズの場合、レンズ面に非球面を用いれば特に像面湾曲や瞳収差の補正効果が大きい。
【００１７】
本発明の接眼レンズは、前述のように第１レンズ群と第２レンズ群の第１レンズ成分の物体側に凹面を向けた正のメニスカス単レンズとにより像面を平坦にすることが出来るが、中心から最周辺までを更に平坦にしたい場合、球面系のみでは最周辺の像面が補正過剰になることがある。このような場合でも非球面を用いることにより像面を平坦にすることが可能である。この場合用いる非球面は、光軸から離れるにしたがってレンズの屈折力が弱くなる非球面形状であることが望ましい。又非球面を配置する場所は、各画角の光束ができるだけ分離している第２レンズ群中に設けることが望ましい。そのなかでも、第１レンズ成分中に設けることが最も望ましい。またコストの低減のために非球面を設けるレンズをプラスチックレンズにする場合、接合レンズではなく単レンズが好ましい。
【００１８】
また、前記のような構成の本発明の接眼レンズにおいて、次の各条件を満足することが望ましい。
（１）    ０．２＜ｆ2 ／ｆ21＜０．６
（２）    ０．３５＜ｆ2 ／ｆ23＜０．５５
（３）    −３．０＜ｆ・φ＜−０．４
（４）    ν22a −ν22b ＜−２５．０
（５）    ｎ23＞１．６５
ただし、ｆ2 は第２レンズ群の焦点距離、ｆ21は第２レンズ群中の第１レンズ成分の焦点距離、ｆ23は第２レンズ群の第３レンズ成分の焦点距離、ｆは接眼レンズ全系の焦点距離、φは第１レンズ群と第２レンズ群の間の空気レンズの屈折力、ν22a は第２レンズ群中の第２レンズ成分の接合レンズの負レンズのアッベ数、ν22b は第２レンズ群中の第２レンズ成分の接合レンズの正レンズのアッベ数、ｎ23は第２レンズ群中の第３レンズ成分の物体側に強い屈折力を持つ面を向けた正レンズの屈折率である。
【００１９】
条件（１）は、第２レンズ群の焦点距離と第２レンズ群中の第１レンズ成分の焦点距離の比ｆ2 ／ｆ21を規定するものである。実質的には第２レンズ群中の第１レンズ成分のパワー配分を規定するものである。この条件（１）において下限の０．２を超えてｆ2 ／ｆ21の値が小さくなると第１レンズ成分のパワーが弱くなるため周辺光束が光軸から遠ざかり、レンズの外径を大にしなければならず好ましくない。又条件（１）の上限の０．６を超えてｆ2 ／ｆ21の値が大になると第１レンズ成分のパワーが強くなりすぎて、このレンズ成分で発生する諸収差が悪化し、特に周辺での収差が悪化しこれを他のレンズ群、レンズ成分にて補正することが困難になる。
【００２０】
又本発明の接眼レンズにおいて、条件（１）の代りに下記条件（１−１）を満足するようにすれば一層望ましい。
（１−１）    ０．２５＜ｆ2 ／ｆ21＜０．５
【００２１】
次に、条件（２）は第２レンズ群の焦点距離と第２レンズ群中の第３レンズ成分の焦点距離の比ｆ2 ／ｆ23を規定するものである。つまり第２レンズ群中における第３レンズ成分のパワー配分を規定するものである。条件（２）の下限の０．３５を超えてｆ2 ／ｆ23の値が小になると第３レンズ成分のパワーが弱くなり、周辺光束をアイポイントへ導くことが難しくなり、広い見掛け視界を確保することが難しくなる。又条件（２）において上限の０．５５を超えてｆ2 ／ｆ23の値が大になると、第２レンズ群中の第３レンズ成分のパワーが強くなりすぎて、このレンズ成分で発生する諸収差が大になりこれを他のレンズ群やレンズ成分で補正することが困難になる。
【００２２】
本発明の接眼レンズにおいて、条件（２）の代りに下記条件（２−１）を満足するようにすれば一層望ましい。
（２−１）    ０．４＜ｆ2 ／ｆ23＜０．５
【００２３】
条件（３）は接眼レンズ全系の焦点距離ｆと第１レンズ群と第２レンズ群の間に形成される空気レンズのパワーφとの積ｆ・φを規定するもので、実質的には第１レンズ群と第２レンズ群との間に形成される空気レンズのパワーφを規定するものである。条件（３）の下限の−３．０を超えてｆ・φの値が小になると空気レンズのパワーが強くなりすぎて諸収差特に周辺像の悪化が著しくなる。条件（３）の上限の−０．４を超えてｆ・φの値が大になると空気レンズのパワーが弱くなりすぎペッツバール和が増大し像面湾曲の補正が困難になる。
【００２４】
又、本発明の接眼レンズにおいて条件（３）の代りに条件（３−１）を満足するようにすることが一層望ましい。
（３−１）    −２．０＜ｆ・φ＜−０．５
【００２５】
条件（４）は、第２レンズ群中の第２レンズ成分の接合レンズの負レンズのアッベ数と正レンズのアッベ数の差を規定するものである。条件（４）の上限の−２５．０を超えてアッベ数差ν22a −ν22b が大になると接合レンズでの倍率の色収差の発生が大になり周辺像の色の滲みが補正できなくなる。
【００２６】
本発明の接眼レンズにおいて、条件（４）の代りに条件（４−１）を満足するようにすれば一層望ましい。
（４−１）    ν22a −ν22b ＜−３０．０
【００２７】
条件（５）は、第２レンズ群中の第３レンズ成分中の物体側に強い屈折力を持つ面を向けた正レンズの屈折率を規定したものである。条件（５）の下限の１．６５を超えて上記正レンズの屈折率ｎ23が小さくなるとこの正レンズの屈折力を強く保つことができず極めて広い見掛け視界を確保することが困難になる。
【００２８】
この条件（５）の代りに下記条件（５−１）を満足するようにすれば一層望ましい。
（５−１）    ｎ23＞１．７０
【００２９】
又条件（５）あるいは条件（５−１）の代りに下記（５−２）を満足すれば更に望ましい。
（５−２）    ｎ23＞１．７５
【００３０】
以上述べた本発明の接眼レンズにおいて、下記条件（６）、（７）を満足することが望ましい。
（６）  −３．０＜｛（φ22a／ν22a）／（φ22b／ν22b）｝＜−１．０１
（７）  ０．１０＜φ22・ｆ＜０．４０
ただしφ22は第２レンズ群中の第２レンズ成分の屈折力、φ22aは第２レンズ群中の第２レンズ成分の接合レンズの負レンズの屈折力、φ22bは第２レンズ群中の第２レンズ成分の接合レンズの正レンズの屈折力である。
【００３１】
条件（６）は、第２レンズ群中の第２レンズ成分の接合レンズの負レンズで発生する色収差の大きさと第２レンズ群中の第２レンズ成分の接合レンズの正レンズで発生する色収差の大きさの比をとったもので、この比が−１に近いほど第２レンズ群中の第２レンズ成分の接合レンズで発生する色収差が小になることを意味する。しかし、この接合レンズ全体での色収差を良好に補正するためには、第２レンズ群中の第２レンズ成分の接合レンズにて色収差が全く発生しないようにすると、第２レンズ群中の他のレンズにて発生する色収差を補正することができなくなり好ましくない。
【００３２】
条件（６）を満足する程度の色収差を接合レンズの負レンズにて発生させれば、接眼レンズ全体での色収差を良好に補正できる。
【００３３】
条件（６）の下限を超えて条件（６）にて規定する色収差の値が小さくなると、第２レンズ群中の第２レンズ成分の接合レンズの負レンズで発生する色収差が大きくなりすぎて、他のレンズで発生する色収差とで互いに打ち消し合う分を考慮しても色収差が過剰に発生する。
【００３４】
条件（６）の上限を超えて上記の値が大になると、第２レンズ群中の第２レンズ成分の接合レンズで発生する色収差が小さくなりすぎ、他のレンズで発生する色収差を補正する効果が小さくなりすぎる。
【００３５】
条件（７）は、第２レンズ群中の第２レンズ成分の屈折力に接眼レンズ全系の焦点距離を乗じた値を規定するものである。
【００３６】
この条件（７）の下限を超えて上記値が小さくなると、第２レンズ群中の第２レンズ成分の屈折力が小さくなり、軸外光線を曲げる作用が小さくなりすぎ、そのためレンズ外径を小さく抑えることができない。
【００３７】
条件（７）の上限の０．４０を超えて上記値が大になると、第２レンズ群中の第２レンズ成分の屈折力が大きくなり、軸外光線を曲げる作用が大きくなりすぎ、軸外収差の補正が困難になる。
【００３８】
又、本発明の接眼レンズにおいて、下記条件（８）、（９）を満足することが望ましい。
（８）    α22a−α22b＜３０
（９）    １．６５＜ＡＶＥ（ｎ22a，ｎ22b）＜１．９３
ただしα22aは第２レンズ群の第２レンズ成分の接合レンズの負レンズの硝材の平均線膨張係数、α22bは第２レンズ群の第２レンズ成分の接合レンズの正レンズの硝材の平均線膨張係数、ｎ22aは第２レンズ群の第２レンズ成分の接合レンズの負レンズの屈折率、ｎ22bは第２レンズ群の第２レンズ成分の接合レンズの正レンズの屈折率、ＡＶＥ（ｎ22a．ｎ22b）は第２レンズ群の第２レンズ成分の接合レンズの負レンズの屈折率ｎ22aと正レンズの屈折率ｎ22bの平均値である。
【００３９】
前記条件（８）は、第２レンズ群の第２レンズ成分の接合レンズの負レンズと正レンズの平均線膨張係数の差を規定したものである。条件（８）の上限の３０を超えると、特に見掛け視野等の大きい光学系では接合後に接合した箇所が剥れていわゆる接合切れが発生しやすくなる。尚、平均線膨張係数とは、試料を毎分４℃の一定速度で昇温加熱しつつ試料の伸びと温度とを測定し、温度あたりの試料の膨張を示す値で＋１００℃〜＋３００℃の平均線膨張係数（１０-7／℃）またはそれに相当する係数を意味する。
【００４０】
又、条件（９）は、第２レンズ群中の第２レンズ成分の接合レンズの負レンズの屈折率ｎ22aと正レンズの屈折率ｎ22bの平均値を規定するもので、条件（９）の下限の１．６５を超えて前記屈折率の平均値が小になると、第２レンズ群中の第２レンズ成分の接合レンズの屈折力を確保するために屈折面の曲率半径を小さくしなければならず、軸外収差特に倍率の色収差と非点収差の補正が困難になる。条件（９）の上限の１．９３を超えると使用し得る硝材が存在せず実用性がない。
【００４１】
また、前記条件（８）の代わりに次の条件（８−１）を満足するようにすれば、接合の切れが発生するおそれが一層少なくなり好ましい。特に、見掛け視野が７０°を超える場合に有効である。
（８−１）    α22a−α22b＜２３
また、本発明の接眼レンズにおいて下記条件（１０）を満足すれば望ましい。
（１０）    −０．２５＜ｆ／ｆ1＜−０．０５
ただし、ｆ1は第１レンズ群の焦点距離である。
【００４２】
条件（１１）は、第１レンズ群の焦点距離を規定したもので、本発明の接眼レンズにおいて軸外収差の補正およびレンズ系の小型のためのものである。
【００４３】
この条件（１０）の上限の−０．０５を超えると第１レンズ群の屈折力が強くなりすぎて、第２レンズ群の外径の増加をまねくほか、第２レンズ群の軸外入射光線が角度が大になり収差補正上好ましくない。条件（１０）の下限の−０．２５を超えると第１レンズ群の屈折力が弱くなりすぎて第１レンズ群の外径が大になり、プリズムを通る光束径が大になるのでプリズムを小型化することが困難であり、同時に像面湾曲が大になる。
【００４４】
以上述べた各条件を満足する本発明の接眼レンズにおいて、少なくとも１面非球面を用いることが望ましい。
【００４５】
【発明の実施の形態】
次に本発明の接眼レンズの実施の形態を下記実施例をもとに述べる。
実施例１
ｆ＝21.578 ,見掛け視界＝80°，レンズ最大径＝42.68
アイレリーフ／レンズ最大径＝0.41
ｒ1 ＝98.3759           ｄ1 ＝5.0000    ｎ1 ＝1.51633     ν1 ＝64.15
ｒ2 ＝-78.3175          ｄ2 ＝2.5000    ｎ2 ＝1.64769     ν2 ＝33.79
ｒ3 ＝-290.3286         ｄ3 ＝61.4748
ｒ4 ＝∞                ｄ4 ＝59.0000   ｎ3 ＝1.56883     ν3 ＝56.33
ｒ5 ＝∞                ｄ5 ＝1.0000
ｒ6 ＝∞                ｄ6 ＝62.0000   ｎ4 ＝1.56883     ν4 ＝56.33
ｒ7 ＝∞                ｄ7 ＝1.3500
ｒ8 ＝38.1133           ｄ8 ＝4.8058    ｎ5 ＝1.78472     ν5 ＝25.68
ｒ9 ＝2.812×10 4       ｄ9 ＝2.5000    ｎ6 ＝1.56384     ν6 ＝60.67
ｒ10＝20.0000           ｄ10＝31.4509
ｒ11＝-26.1967          ｄ11＝7.0000    ｎ7 ＝1.77250     ν7 ＝49.60
ｒ12＝-23.8861          ｄ12＝0.5000
ｒ13＝233.9115 (非球面) ｄ13＝5.0000    ｎ8 ＝1.52542     ν8 ＝55.78
ｒ14＝-105.1100         ｄ14＝0.5000
ｒ15＝38.6426           ｄ15＝3.0000    ｎ9 ＝1.76182     ν9 ＝26.52
ｒ16＝23.2128           ｄ16＝13.0000   ｎ10＝1.60311     ν10＝60.68
ｒ17＝818.6530          ｄ17＝0.5000
ｒ18＝27.2355           ｄ18＝8.0000    ｎ11＝1.77250     ν11＝49.60
ｒ19＝90.9036           ｄ19＝17.5000
ｒ20アイポント
非球面係数
Ｋ＝0 ，Ｅ＝−5.0983×10-6，Ｆ＝0，Ｇ＝0， Ｈ＝0
ｆ2 ＝22.030，ｆ21＝68.804 ，ｆ23＝47.724，φ＝−0.0838
ｆ2 ／ｆ21＝0.320，ｆ2 ／ｆ23＝0.462，ｆ・φ＝-1.809
ν22a −ν22b ＝-34.16，ｎ23＝1.77250
｛（φ22a／ν22a）／（φ22b／ν22b）｝＝−1.081，φ22・ｆ＝0.270
α22a−α22b＝27，  ＡＶＥ（ｎ22a．ｎ22b）＝1.68247
ｆ／ｆ1＝−0.110
【００４６】
実施例２
ｆ＝21.576 ,見掛け視界＝80°，レンズ最大径＝42.46
アイレリーフ／レンズ最大径＝0.412
ｒ1 ＝98.1138           ｄ1 ＝5.0000    ｎ1 ＝1.51633     ν1 ＝64.15
ｒ2 ＝-76.8753          ｄ2 ＝2.5000    ｎ2 ＝1.63980     ν2 ＝34.46
ｒ3 ＝-296.5445         ｄ3 ＝61.3650
ｒ4 ＝∞                ｄ4 ＝59.0000   ｎ3 ＝1.56883     ν3 ＝56.33
ｒ5 ＝∞                ｄ5 ＝1.0000
ｒ6 ＝∞                ｄ6 ＝62.0000   ｎ4 ＝1.56883     ν4 ＝56.33
ｒ7 ＝∞                ｄ7 ＝1.3500
ｒ8 ＝47.4956           ｄ8 ＝4.8058    ｎ5 ＝1.80518     ν5 ＝25.43
ｒ9 ＝-494.1686         ｄ9 ＝2.5000    ｎ6 ＝1.51633     ν6 ＝64.15
ｒ10＝21.3667           ｄ10＝31.4509
ｒ11＝-42.0000          ｄ11＝7.0000    ｎ7 ＝1.77250     ν7 ＝49.60
ｒ12＝-27.9589          ｄ12＝0.5000
ｒ13＝-71.6099          ｄ13＝5.0000    ｎ8 ＝1.49241     ν8 ＝57.66
ｒ14＝-53.7140（非球面）ｄ14＝0.5000
ｒ15＝39.9442           ｄ15＝3.0000    ｎ9 ＝1.76182     ν9 ＝26.52
ｒ16＝22.4690           ｄ16＝13.0000   ｎ10＝1.60311     ν10＝60.68
ｒ17＝-602.3443         ｄ17＝0.5000
ｒ18＝26.5134           ｄ18＝8.0000    ｎ11＝1.77250     ν11＝49.60
ｒ19＝90.9036           ｄ19＝17.5000
ｒ20アイポイント
非球面係数
Ｋ＝0 ，Ｅ＝4.0895×10-6，Ｆ＝0 ，Ｇ＝0 ，Ｈ＝0
ｆ2 ＝22.258，ｆ21＝73.701，ｆ23＝45.965，φ＝−0.0565
ｆ2 ／ｆ21＝0.302 ，ｆ2 ／ｆ23＝0.4842，ｆ・φ＝-1.22
ν22a −ν22b ＝-34.16，ｎ23＝1.7725
｛（φ22a／ν22a）／（φ22b／ν22b）｝＝−1.136，φ22・ｆ＝0.283
α22a−α22b＝27，  ＡＶＥ（ｎ22a．ｎ22b）＝1.68247
ｆ／ｆ1＝−0.105
【００４７】
実施例３
ｆ＝21.729 ,見掛け視界＝80°，レンズ最大径＝43.858
アイレリーフ／レンズ最大径＝0.399
ｒ1 ＝95.6023           ｄ1 ＝5.0000    ｎ1 ＝1.51633     ν1 ＝64.15
ｒ2 ＝-76.6162          ｄ2 ＝2.5000    ｎ2 ＝1.63980     ν2 ＝34.46
ｒ3 ＝-316.2649         ｄ3 ＝61.2070
ｒ4 ＝∞                ｄ4 ＝59.0000   ｎ3 ＝1.56883     ν3 ＝56.33
ｒ5 ＝∞                ｄ5 ＝1.0000
ｒ6 ＝∞                ｄ6 ＝62.0000   ｎ4 ＝1.56883     ν4 ＝56.33
ｒ7 ＝∞                ｄ7 ＝1.3500
ｒ8 ＝40.0728           ｄ8 ＝4.8058    ｎ5 ＝1.78472     ν5 ＝25.68
ｒ9 ＝-247.1450         ｄ9 ＝2.5000    ｎ6 ＝1.65160     ν6 ＝58.55
ｒ10＝23.9583           ｄ10＝31.4509
ｒ11＝-23.9123          ｄ11＝6.0000    ｎ7 ＝1.77250     ν7 ＝49.60
ｒ12＝-24.1787          ｄ12＝0.5000
ｒ13＝-1024.5037（非球面ｄ13＝6.0000    ｎ8 ＝1.52542     ν8 ＝55.78
ｒ14＝-50.6901          ｄ14＝0.5000
ｒ15＝37.7798           ｄ15＝3.0000    ｎ9 ＝1.76182     ν9 ＝26.52
ｒ16＝23.0000           ｄ16＝13.0000   ｎ10＝1.60311     ν10＝60.68
ｒ17＝-7274.6882        ｄ17＝0.5000
ｒ18＝28.8221           ｄ18＝8.0000    ｎ11＝1.77250     ν11＝49.60
ｒ19＝90.9036           ｄ19＝17.5000
ｒ20アイポイント
非球面係数
Ｋ＝0 ，Ｅ＝-4.6022 ×10-6，Ｆ＝0 ，Ｇ＝0 ，Ｈ＝0
ｆ2 ＝22.166，ｆ21＝71.697，ｆ23＝51.727，φ＝−0.0871
ｆ2 ／ｆ21＝0.3092，ｆ2 ／ｆ23＝0.4285，ｆ・φ＝-1.893
ν22a −ν22b ＝-34.16，ｎ23＝1.7725
｛（φ22a／ν22a）／（φ22b／ν22b）｝＝−1.027，φ22・ｆ＝0.296
α22a−α22b＝27，  ＡＶＥ（ｎ22a．ｎ22b）＝1.68247
ｆ／ｆ1＝−0.105
【００４８】
実施例４
ｆ＝20.287 ,見掛け視界＝80°，レンズ最大径＝44.412
アイレリーフ／レンズ最大径＝0.394
ｒ1 ＝100.7299          ｄ1 ＝5.0000    ｎ1 ＝1.51633     ν1 ＝64.15
ｒ2 ＝-67.0152          ｄ2 ＝2.0000    ｎ2 ＝1.62588     ν2 ＝35.70
ｒ3 ＝-232.6163         ｄ3 ＝52.8406
ｒ4 ＝∞                ｄ4 ＝59.0000   ｎ3 ＝1.56883     ν3 ＝56.33
ｒ5 ＝∞                ｄ5 ＝1.0000
ｒ6 ＝∞                ｄ6 ＝62.0000   ｎ4 ＝1.56883     ν4 ＝56.33
ｒ7 ＝∞                ｄ7 ＝1.3500
ｒ8 ＝178.9190          ｄ8 ＝4.8058    ｎ5 ＝1.80518     ν5 ＝25.43
ｒ9 ＝-67.1851          ｄ9 ＝2.0000    ｎ6 ＝1.51633     ν6 ＝64.15
ｒ10＝35.0000           ｄ10＝31.4509
ｒ11＝-35.0000          ｄ11＝7.0000    ｎ7 ＝1.49241     ν7 ＝57.66
ｒ12＝-24.3679（非球面）ｄ12＝0.5000
ｒ13＝351.7893          ｄ13＝6.9000    ｎ8 ＝1.77250     ν8 ＝49.60
ｒ14＝-75.7851          ｄ14＝0.5000
ｒ15＝104.0193          ｄ15＝4.1987    ｎ9 ＝1.76182     ν9 ＝26.52
ｒ16＝27.5694           ｄ16＝14.0000   ｎ10＝1.60311     ν10＝60.68
ｒ17＝-80.8251          ｄ17＝0.5000
ｒ18＝27.4270           ｄ18＝8.0000    ｎ11＝1.77250     ν11＝49.60
ｒ19＝90.9036           ｄ19＝17.5000
ｒ20アイポイント
非球面係数
Ｋ＝0 ，Ｅ＝2.3014×10-5，Ｆ＝-6.3562 ×10-8，Ｇ＝1.4008×10-10
Ｈ＝-8.7041 ×10-14
ｆ2 ＝22.592，ｆ21＝49.399，ｆ23＝48.197，φ＝−0.0353
ｆ2 ／ｆ21＝0.4573，ｆ2 ／ｆ23＝0.4687，ｆ・φ＝-0.717
ν22a −ν22b ＝-34.16，ｎ23＝1.7725
｛（φ22a／ν22a）／（φ22b／ν22b）｝＝−1.624，φ22・ｆ＝0.181
α22a−α22b＝27，  ＡＶＥ（ｎ22a．ｎ22b）＝1.68247
ｆ／ｆ1＝−0.115
【００４９】
実施例５
ｆ＝18.658  ，見掛け視界＝80°，レンズ最大径＝43.12
アイレリーフ／レンズ最大径＝0.406
ｒ1 ＝100.6994          ｄ1 ＝5.3000    ｎ1 ＝1.51633     ν1 ＝64.15
ｒ2 ＝-60.4070          ｄ2 ＝2.6000    ｎ2 ＝1.64769     ν2 ＝33.79
ｒ3 ＝-167.9972         ｄ3 ＝37.4148
ｒ4 ＝∞                ｄ4 ＝58.0000   ｎ3 ＝1.56883     ν3 ＝56.33
ｒ5 ＝∞                ｄ5 ＝2.5000
ｒ6 ＝∞                ｄ6 ＝58.0000   ｎ4 ＝1.56883     ν4 ＝56.33
ｒ7 ＝∞                ｄ7 ＝3.0000
ｒ8 ＝41.6878           ｄ8 ＝5.5000    ｎ5 ＝1.78472     ν5 ＝25.68
ｒ9 ＝-58.1795          ｄ9 ＝3.0000    ｎ6 ＝1.65844     ν6 ＝50.88
ｒ10＝19.0010           ｄ10＝19.5000
ｒ11＝-28.2685          ｄ11＝7.0000    ｎ7 ＝1.74320     ν7 ＝49.34
ｒ12＝-23.6840          ｄ12＝1.0000
ｒ13＝-250.0000(非球面) ｄ13＝5.0000    ｎ8 ＝1.52542     ν8 ＝55.78
ｒ14＝-52.6571          ｄ14＝0.5000
ｒ15＝45.6621           ｄ15＝3.0000    ｎ9 ＝1.78472     ν9＝25.68
ｒ16＝23.7540           ｄ16＝13.0000   ｎ10＝1.65844     ν10＝50.88
ｒ17＝∞                ｄ17＝0.5000
ｒ18＝27.2871           ｄ18＝8.0000     ｎ11＝1.74320     ν11＝49.34 ｒ19＝108.4810           ｄ19＝17.5000
ｒ20＝アイポイント
非球面係数
Ｋ＝0 ，Ｅ＝-4.8802×10-6，Ｆ＝0 ，Ｇ＝0 ，Ｈ＝0
ｆ2 ＝21.303，ｆ21＝59.367，ｆ23＝47.077，φ＝−0.0896
ｆ2 ／ｆ21＝0.359 ，ｆ2 ／ｆ23＝0.453，ｆ・φ＝−1.672
ν22a −ν22b ＝−25.2，ｎ23＝1.7432
｛（φ22a／ν22a）／（φ22b／ν22b）｝＝−1.066，φ22・ｆ＝0.224
α22a−α22b＝21，  ＡＶＥ（ｎ22a．ｎ22b）＝1.72158
ｆ／ｆ1＝−0.195
ただしｒ1 ，ｒ2 ，・・・ はレンズ各面の曲率半径、ｄ1 ，ｄ2 ，・・・ は各レンズの肉厚およびレンズ間隔、ｎ1 ，ｎ2 ，・・・ は各レンズの屈折率、ν1 ，ν2 ，・・・ は各レンズのアッベ数である。尚データ中長さの単位はmmである。
【００５０】
実施例１は、図１に示すように物体側から順に、負の屈折力の第１レンズ群Ｇ１と、正の屈折力の第２レンズ群Ｇ２とよりなる。又、第２レンズ群Ｇ２は、凹面を対物レンズＯ側に向けた正のメニスカスレンズ１枚と両凸レンズ１枚からなる第１レンズ成分Ｇ２１と、負レンズと正レンズの接合レンズの第２レンズ成分Ｇ２２と、正のメニスカスレンズの第３レンズ成分Ｇ２３とからなる。尚、Ｏは対物レンズ、Ｐはプリズム、Ｅは接眼レンズである。又、第１レンズ群Ｇ１と第２レンズ群Ｇ２の間に中間結像面Ｉが位置する。又第２レンズ群の第１レンズ成分Ｇ２１の眼側の両凸レンズの物体側の面ｒ13が非球面である。
【００５１】
実施例２は、図２に示す構成で実施例１と同様の構成である。この実施例は、第２レンズ群の第１レンズ成分Ｇ２１の眼側のレンズが正のメニスカスレンズでその眼側の面ｒ14が非球面である。
【００５２】
実施例３は、図３に示す通りでこの実施例は実施例２と同様の構成である。この実施例は、第２レンズ群の第１レンズ成分Ｇ２１の眼側のメニスカスレンズの対物レンズ側の面ｒ13が非球面である。
【００５３】
実施例４は図４に示すもので、この実施例は実施例１と同様の構成である。この実施例は第２レンズ群の第１レンズ成分Ｇ２１の対物レンズ側のメニスカスレンズの眼側の面ｒ12が非球面である。
実施例５は図５に示す構成で、実施例２のレンズ系と同様の構成である。この実施例は、第２レンズ群Ｇ２の第２レンズ成分Ｇ２１の眼側の正のメニスカスレンズの眼側の面が非球面である。
【００５４】
又、各実施例で用いられる非球面の形状は、光軸方向をｘ軸、光軸に直角な方向をｙ軸とする時、下の式にて表わされる。
0003713377.tif 000002
【００５５】
ただし、ｒは基準球面の曲率半径、ｋは円錐定数、Ｅ、Ｆ、Ｇ、Ｈ、・・・は非球面係数である。
【００５６】
これら実施例の接眼レンズは、いずれも見掛け視界が大でありしかもアイレリーフが長くレンズ径の小さいレンズ系である。つまりアイレリーフと接眼レンズ最大径との比が大である。
各実施例の断面図は、いずれも対物レンズと組み合わせた状態にて示してあり、Ｏは対物レンズ、Ｐはプリズム、Ｅは接眼レンズであり、又Ｉは中間結像面を示している。
【００５７】
以上述べた実施例中、実施例１の収差状況は、図６に示す通りである。又実施例２、３は、いずれも実施例１と同じ程度の同じ傾向の収差状況である。又、実施例４の収差状況は、図７に、実施例５の収差状況は、図８に示す通りである。これら収差図中球面収差の縦軸は瞳径、非点収差、歪曲収差、倍率の色収差の縦軸は像高比である。
【００５８】
本発明は、前述の構成の接眼レンズのほか下記各項に記載する構成のレンズ系も含むものである。
【００５９】
（１）特許請求の範囲の請求項２に記載するレンズ系で、条件（１）の代りに下記条件（１−１）を満足することを特徴とする接眼レンズ。
（１−１）    ０．２５＜ｆ2 ／ｆ21＜０．５
【００６０】
（２）特許請求の範囲の請求項２あるいは前記の（１）の項に記載するレンズ系で、条件（２）の代りに下記条件（２−１）を満足する接眼レンズ。
（２−１）    ０．４＜ｆ2 ／ｆ23＜０．５
【００６１】
（３）特許請求の範囲の請求項２あるいは前記の（１）又は（２）の項に記載するレンズ系で、条件（３）の代りに下記条件（３−１）を満足する接眼レンズ。
（３−１）    −２．０＜ｆ・φ＜−０．５
【００６２】
（４）特許請求の範囲の請求項２あるいは前記の（１）、（２）又は（３）の項に記載するレンズ系で、条件（４）の代りに下記条件（４−１）を満足することを特徴とする接眼レンズ。
（４−１）    ν22a −ν22b ＜−３０．０
【００６３】
（５）特許請求の範囲の請求項２あるいは前記の（１）、（２）、（３）又は（４）の項に記載するレンズ系で、条件（５）の代りに下記条件（５−１）を満足することを特徴とする接眼レンズ。
（５−１）    ｎ23＞１．７０
【００６４】
（６）特許請求の範囲の請求項２あるいは前記の（１）、（２）、（３）又は（４）の項に記載するレンズ系で、条件（５）の代りに下記条件（５−２）を満足することを特徴とする接眼レンズ。
（５−２）    ｎ23＞１．７５
【００６５】
（７）前記の（１）、（２）、（３）、（４）、（５）又は（６）に記載するレンズ系で、レンズ系中に少なくとも１面非球面を設けたことを特徴とする接眼レンズ。
【００６６】
（８）特許請求の範囲の請求項１、２又は３あるいは前記の（１）、（２）、（３）、（４）、（５）、（６）又は（７）の項に記載するレンズ系で、下記条件（６）、（７）を満足することを特徴とする接眼レンズ。
（６）  −３．０＜｛（φ22a／ν22a）／（φ22b／ν22b）｝＜−１．０１
（７）  ０．１０＜φ22・ｆ＜０．４０
【００６７】
（９）特許請求の範囲の請求項１、２又は３あるいは前記の（１）、（２）、（３）、（４）、（５）、（６）、（７）又は（８）の項に記載するレンズ系で、下記条件（８）、（９）を満足することを特徴とする接眼レンズ。
（８）    α22a−α22b＜３０
（９）    １．６５＜ＡＶＥ（ｎ22a，ｎ22b）＜１．９３
【００６８】
（１０）前記の（９）の項に記載するレンズ系で、条件（８）の代りに条件（８−１）を満足することを特徴とする接眼レンズ。
（８−１）    α22a−α22b＜２３
【００６９】
（１１）特許請求の範囲の請求項１、２又は３に記載するレンズ系で、下記条件（１０）を満足することを特徴とする接眼レンズ。
（１０）    −０．２５＜ｆ／ｆ1＜−０．０５
【００７０】
【発明の効果】
本発明は、望遠鏡や双眼鏡等に用いられる接眼レンズで、前述の構成にすることにより広い視野で良好な光学性を有するレンズ系を可能とした。
【図面の簡単な説明】
【図１】本発明の実施例１の断面図
【図２】本発明の実施例２の断面図
【図３】本発明の実施例３の断面図
【図４】本発明の実施例４の断面図
【図５】本発明の実施例５の断面図
【図６】本発明の実施例１の収差曲線図
【図７】本発明の実施例４の収差曲線図
【図８】本発明の実施例５の収差曲線図
【図９】アイレリーフと接眼レンズの径との関係を示す図
【図１】
0003713377.tif 000003
【図２】
0003713377.tif 000004
【図３】
0003713377.tif 000005
【図４】
0003713377.tif 000006
【図５】
0003713377.tif 000007
【図６】
0003713377.tif 000008
【図７】
0003713377.tif 000009
【図８】
0003713377.tif 000010
【図９】
0003713377.tif 000011